(57)【要約】      （修正有）【課題】身近にある材料で誰もが容易に作成することができ安全性及び耐久性に優れた包装用袋とその作成方法及び作成用シート状材料を提供する。【解決手段】シート状材料１の下端部に下部折り返し部を形成した後、シート状材料の左右両側部を共に谷折り又は山折りして第１側部折り返し部及び第２側部折り返し部を形成し、一方の先端下端部を他方の先端下端部に形成されている間隙に差し込んで筒状体を形成し、筒状体の下部を筒状体の上部に向かって折って袋本体折り返し部を形成し、筒状体上部を下部に向かって折って袋上部折り返し部を形成し、袋本体折り返し部の筒状体内に差し込むことによって作成される包装用袋とその作成方法並びに作成用シート状材料。【選択図】図１
2020200110.tif 000002
【特許請求の範囲】
【請求項１】
シート状材料を折って作成される包装用袋であって、
前記シート状材料の下端部を、直線状の下横折り線に沿って谷折り又は山折りすることによって形成された下部折り返し部γ２と、
前記下部折り返し部γ２が形成された状態で、前記シート状材料の左右方向の中心よりも右側に位置し、前記下横折り線と直交する右縦折り線に沿って前記シート状材料の右側部分を谷折り又は山折りして形成される第２側部折り返し部γ４と、
前記下部折り返し部γ２が形成された状態で、前記右縦折り線から前記第２側部折り返し部γ４の左右方向長さと略等しいかそれよりも長い長さだけ左側に位置し、前記下横折り線と直交する左縦折り線に沿って、前記シート状材料の左側部分を前記第２側部折り返し部γ４と同じ側に谷折り又は山折りすることによって形成され、その先端が前記第２側部折り返し部γ４の先端よりも右側に位置する第１側部折り返し部γ３とを備え、
前記第２側部折り返し部γ４と前記第１側部折り返し部γ３とは、前記第１側部折り返し部γ３の先端下端部が、前記第２側部折り返し部γ４の先端下端部に位置する前記下部折り返し部γ２の内側に形成されている間隙内に差し込まれるか、又は、前記第２側部折り返し部γ４の先端下端部が、前記第１側部折り返し部γ３の先端下端部に位置する前記下部折り返し部γ２の内側に形成されている間隙内に差し込まれることによって互いに係合し、前記第１側部折り返し部γ３と、前記第２側部折り返し部γ４と、前記右縦折り線と前記左縦折り線との間に挟まれた部分の前記シート状材料とで囲まれた筒状体が形成されており、
さらに、前記筒状体が形成された状態で、前記筒状体の下部を、前記筒状体の上下方向の中心よりも下側に位置し、前記下横折り線と平行な袋底部横折り線に沿って谷折り又は山折りすることによって形成される袋本体折り返し部γ５と、
前記袋本体折り返し部γ５が形成された状態で、前記筒状体の上部を、前記袋底部横折り線から前記袋本体折り返し部γ５の上下方向長さと略等しいかそれよりも長い長さだけ上側に位置し、前記下横折り線と平行な袋上部横折り線に沿って、前記袋本体折り返し部γ５と同じ側に谷折り又は山折りすることによって形成され、その下部先端が前記袋本体折り返し部γ５の上部先端よりも下側に位置する袋上部折り返し部γ６とを備え、
前記袋上部折り返し部γ６の先端部が前記袋本体折り返し部γ５の前記筒状体内に挿入されることによって前記袋本体折り返し部γ５の内部に形成された袋状部を備えている、
包装用袋。
【請求項２】
前記シート状材料の右端部又は左端部を、前記下横折り線と直交する補助縦折り線に沿って谷折り又は山折りして形成される補助折り返し部γ１を有しており、
前記下部折り返し部γ２が、前記補助折り返し部γ１が形成された状態で、前記シート状材料の下端部を、前記下横折り線に沿って谷折り又は山折りすることによって形成された下部折り返し部γ２である、請求項１記載の包装用袋。
【請求項３】
前記下横折り線、前記右縦折り線、前記左縦折り線、前記袋底部横折り線、及び前記袋上部横折り線が、四角形の内側の所定の位置に記載されている請求項１に記載の包装用袋の作成用シート状材料。
【請求項４】
前記下横折り線、前記右縦折り線、前記左縦折り線、前記袋底部横折り線、及び前記袋上部横折り線に加えて、前記補助縦折り線が四角形の内側の所定の位置に記載されている請求項２に記載の包装用袋の作成用シート状材料。
【請求項５】
シート状材料を折って包装用袋を作成する方法であって、下記工程（Ａ）〜（Ｇ）を含む包装用袋の作成方法；
（Ａ）前記シート状材料の下端部を、直線状の下横折り線に沿って谷折り又は山折りすることによって下部折り返し部γ２を形成する工程、
（Ｂ）前記下部折り返し部γ２が形成された状態で、前記シート状材料の左右方向の中心よりも右側に位置し、前記下横折り線と直交する右縦折り線に沿って前記シート状材料の右側部分を谷折り又は山折りして第２側部折り返し部γ４を形成する工程、
（Ｃ）前記下部折り返し部γ２が形成された状態で、前記右縦折り線から前記第２側部折り返し部γ４の左右方向長さと略等しいかそれよりも長い長さだけ左側に位置し、前記下横折り線と直交する左縦折り線に沿って、前記シート状材料の左側部分を前記第２側部折り返し部γ４と同じ側に谷折り又は山折りすることによって第１側部折り返し部γ３を形成する工程であって、前記左縦折り線の位置が、形成される前記第１側部折り返し部γ３の先端が前記第２側部折り返し部γ４の先端よりも右側に位置するように選ばれている工程、
（Ｄ）前記第１側部折り返し部γ３の先端下端部を、前記第２側部折り返し部γ４の先端下端部に位置する前記下部折り返し部γ２の内側に形成されている間隙内に差し込むか、又は、前記第２側部折り返し部γ４の先端下端部を、前記第１側部折り返し部γ３の先端下端部に位置する前記下部折り返し部γ２の内側に形成されている間隙内に差し込むことによって前記第２側部折り返し部γ４と前記第１側部折り返し部γ３とを互いに係合させ、前記第１側部折り返し部γ３と、前記第２側部折り返し部γ４と、前記右縦折り線と前記左縦折り線との間に挟まれた部分の前記シート状材料とで囲まれた筒状体を形成する工程、
（Ｅ）前記筒状体が形成された状態で、前記筒状体の下部を、前記筒状体の上下方向の中心よりも下側に位置し、前記下横折り線と平行な袋底部横折り線に沿って谷折り又は山折りすることによって袋本体折り返し部γ５を形成する工程、
（Ｆ）前記袋本体折り返し部γ５が形成された状態で、前記筒状体の上部を、前記袋底部横折り線から前記袋本体折り返し部γ５の上下方向長さと略等しいかそれよりも長い長さだけ上側に位置し、前記下横折り線と平行な袋上部横折り線に沿って、前記袋本体折り返し部γ５と同じ側に谷折り又は山折りすることによって袋上部折り返し部γ６を形成する工程であって、前記袋上部横折り線の位置が、形成される前記袋上部折り返し部γ６の下部先端が前記袋本体折り返し部γ５の上部先端よりも下側に位置するように選ばれている工程、
（Ｇ）前記袋上部折り返し部γ６の先端部を前記袋本体折り返し部γ５の前記筒状体内に挿入することによって前記袋本体折り返し部γ５の内部に袋状部を形成する工程。
【請求項６】
さらに、
（Ｈ）前記シート状材料の右端部又は左端部を、前記下横折り線と直交する補助縦折り線に沿って谷折り又は山折りして補助折り返し部γ１を形成する工程、
を含み、
前記（Ａ）の工程が、前記補助折り返し部γ１が形成された状態で、前記シート状材料の下端部を、前記下横折り線に沿って谷折り又は山折りすることによって下部折り返し部γ２を形成する工程である、
請求項５記載の包装用袋の作成方法。
【発明の詳細な説明】
【技術分野】
【０００１】
本発明は、一枚のシート状材料を折ることによって作成される包装用袋と、その作成方法、および、その作成に用いる包装用袋作成用シート状材料に関する。
【背景技術】
【０００２】
包装用袋は、スーパー、コンビニ、八百屋、魚屋等の小売り商店において、販売物品の簡易包装、持ち帰り用の一時収納袋などとして、日常生活のあらゆる局面で使用されている。以前は、新聞紙やその他の紙などを用いて、逆円錐形に丸めたり、適宜の箇所を貼着して袋状にしたものなどが包装用袋として普通に用いられていた。しかしながら、近年ポリエチレンやポリプロピレン、ポリ塩化ビニルなどの合成樹脂が開発されると、一部の紙袋などを除いて、これら包装用袋は、ほとんどが合成樹脂製の袋にとって代わられた。その結果、現在では、年間数百万トンに及ぶ国内合成樹脂消費量の主要な部分が、これら簡易包装や持ち帰り用の一時収納袋としての用途で占められている。合成樹脂素材は、柔軟性、耐久性、価格等の観点で優れるものの、石油資源を原材料としているため、将来的な資源枯渇が懸念される。また、合成樹脂は自然分解しないという欠点があり、合成樹脂製品の大量廃棄による環境汚染や、海岸への漂着ゴミによる景観の悪化は、世界的に深刻な環境問題となっている。この背景の中、スーパーやコンビニなどの小売り商店において商品の持ち帰り用に用いられる包装用袋に関し、再利用できるか廃棄時の環境負荷が小さい素材への転換が求められている。
【０００３】
廃棄時の環境負荷が小さいという観点からは、従来から商品の簡易包装や一時収納に用いられている紙や布には、それなりの利点がある。しかしながら、紙や布などの素材にしても、これらを新たに生産して、簡易包装用や持ち帰り用の一時収納袋を製造するとなれば、それなりのエネルギーと手間暇が掛かるのは避けられない。紙を素材とした場合、デパート等の小売り店で一般的に使用されている紙袋を製造しようとすれば、例えば、非特許文献１や非特許文献２に開示されているように、接着剤の使用が不可欠であり、製造に手間がかかるという欠点があり、布を素材とした場合にも、例えば縫製等の作業が必要となる。
【０００４】
一方、一枚の紙から接着剤を用いずに包装用袋を作成する方法も提案されており、例えば、非特許文献３においては、折り紙の手法を利用して一枚の紙を折って袋を作成する方法が開示されている。しかしながら、非特許文献３に開示されている袋は、袋の片方の側面が、その外側にシート状材料の端面が露出した２つの折り返し部を伴っているので、この折り返し部が袋を持つ人の指や他の物品等の突起物に引っかかりやすく、把持し易さ、安全性、耐久性の点で十分に満足のできるものではないという欠点を有している。
【０００５】
本発明者は、以前、接着剤を用いずに、一枚のシート状材料を折り紙の手法で折ることによってカードケース又はブックカバーを作成する方法に思い至り、特許文献１において開示した。この方法によれば、カードケース用又はブックカバー用に新たに製造されたシート状材料を用いる必要はなく、新聞紙、広告のチラシ、包装用紙などの身近にあるシート状材料を使用して、誰もが容易にカードケース又はブックカバーを作成することができるので、非常に便利であるとともに省資源でもある。しかし、これらはカードを収容したり、書籍をカバーするためのものであり、商品を簡易包装したり、持ち帰り用に一時収納する包装用袋ではない。
【先行技術文献】
【特許文献】
【０００６】
【特許文献１】特許第６４３７４９５号公報
【非特許文献】
【０００７】
【非特許文献１】“折り紙でプレゼントを入れる「袋」を作ろう！”、［оｎｌｉｎｅ］、２０１９年３月１２日検索、インターネット、＜ＵＲＬ：ｈｔｔｐｓ：／／оｒｉｇａｍｉｂｌоｇ．ｉｎｆо／２１９８＞
【非特許文献２】“折り紙でラッピング袋を作ってお菓子のプチギフトを♪簡単可愛い紙袋の折り方”、［оｎｌｉｎｅ］、２０１９年３月１２日検索、インターネット、＜ＵＲＬ：ｈｔｔｐｓ：／／ｗｒａｐｐｉｎｇ−ａｄｖｉｓｅｒ．ｎｅｔ／оｒｉｇａｍｉ−ｋａｋｕｓоｋоｂａｇ／＞
【非特許文献３】“折り紙「袋」の折り方”、［оｎｌｉｎｅ］、２０１９年３月８日検索、インターネット、＜ＵＲＬ：ｈｔｔｐｓ：／／оｒｉｇａｍｉｊａｐａｎ．ｎｅｔ／ｊｐ／ｂａｇ／＞
【発明の概要】
【発明が解決しようとする課題】
【０００８】
本発明は、上述したような従来の包装用袋が有する課題を解決すべくされたもので、作成に接着剤等を必要とせず、身近にある材料を用いて誰もが容易に作成することができ、かつ、安全性および耐久性に優れた包装用袋と、その作成方法、および、その作成に用いられる包装用袋作成用シート状材料を提供することを課題とする。
【課題を解決するための手段】
【０００９】
上記課題を解決すべく、鋭意試行錯誤を繰り返した結果、本発明者は、１枚のシート状材料の下端部を折ってシート下部に折り返し部を形成した後に、シート状材料の左右両端部を、共に谷折り又は山折りし、その共に谷折り又は山折りされた左右両端部のいずれか一方の下部を他方の下部に差し込んで互いに係合させることで筒状体を形成し、この筒状部の下部を上部に向かって谷折り又は山折りするとともに、筒状部の上部を下部に向かって前記筒状体の下部と同じ側に谷折り又は山折りして、前記筒状体の内部に差し込むことによって、比較的容易に、かつ接着剤を使用することなく、安全性および耐久性に優れた包装用袋を作成できることを見出した。
【００１０】
すなわち、本発明は、シート状材料を折ることによって作成される包装用袋であって、
前記シート状材料の下端部を、直線状の下横折り線に沿って谷折り又は山折りすることによって形成された下部折り返し部γ２と、
前記下部折り返し部γ２が形成された状態で、前記シート状材料の左右方向の中心よりも右側に位置し、前記下横折り線と直交する右縦折り線に沿って前記シート状材料の右側部分を谷折り又は山折りして形成される第２側部折り返し部γ４と、
前記下部折り返し部γ２が形成された状態で、前記右縦折り線から前記第２側部折り返し部γ４の左右方向長さと略等しいかそれよりも長い長さだけ左側に位置し、前記下横折り線と直交する左縦折り線に沿って、前記シート状材料の左側部分を前記第２側部折り返し部γ４と同じ側に谷折り又は山折りすることによって形成され、その先端が前記第２側部折り返し部γ４の先端よりも右側に位置する第１側部折り返し部γ３とを備え、
前記第２側部折り返し部γ４と前記第１側部折り返し部γ３とは、前記第１側部折り返し部γ３の先端下端部が、前記第２側部折り返し部γ４の先端下端部に位置する前記下部折り返し部γ２の内側に形成されている間隙内に差し込まれるか、又は、前記第２側部折り返し部γ４の先端下端部が、前記第１側部折り返し部γ３の先端下端部に位置する前記下部折り返し部γ２の内側に形成されている間隙内に差し込まれることによって互いに係合し、前記第１側部折り返し部γ３と、前記第２側部折り返し部γ４と、前記右縦折り線と前記左縦折り線とで挟まれた部分の前記シート状材料とで囲まれた筒状体が形成されており、
さらに、前記筒状体が形成された状態で、前記筒状体の下部を、前記筒状体の上下方向の中心よりも下側に位置し、前記下横折り線と平行な袋底部横折り線に沿って谷折り又は山折りすることによって形成される袋本体折り返し部γ５と、
前記袋本体折り返し部γ５が形成された状態で、前記筒状体の上部を、前記袋底部横折り線から前記袋本体折り返し部γ５の上下方向長さと略等しいかそれよりも長い長さだけ上側に位置し、前記下横折り線と平行な袋上部横折り線に沿って、前記袋本体折り返し部γ５と同じ側に谷折り又は山折りすることによって形成され、その下部先端が前記袋本体折り返し部γ５の上部先端よりも下側に位置する袋上部折り返し部γ６とを備え、
前記袋上部折り返し部γ６の先端部が前記袋本体折り返し部γ５の前記筒状体内に挿入されることによって前記袋本体折り返し部γ５の内部に形成される袋状部を備えている、包装用袋を提供することによって、上記課題を解決するものである。
【００１１】
さらに、本発明は、  シート状材料を折って包装用袋を作成する方法であって、下記工程（Ａ）〜（Ｇ）を含む包装用袋の作成方法を提供することによって上記課題を解決するものである；
（Ａ）前記シート状材料の下端部を、直線状の下横折り線に沿って谷折り又は山折りすることによって下部折り返し部γ２を形成する工程、
（Ｂ）前記下部折り返し部γ２が形成された状態で、前記シート状材料の左右方向の中心よりも右側に位置し、前記下横折り線と直交する右縦折り線に沿って前記シート状材料の右側部分を谷折り又は山折りして第２側部折り返し部γ４を形成する工程、
（Ｃ）前記下部折り返し部γ２が形成された状態で、前記右縦折り線から前記第２側部折り返し部γ４の左右方向長さと略等しいかそれよりも長い長さだけ左側に位置し、前記下横折り線と直交する左縦折り線に沿って、前記シート状材料の左側部分を前記第２側部折り返し部γ４と同じ側に谷折り又は山折りすることによって第１側部折り返し部γ３を形成する工程であって、前記左縦折り線の位置が、形成される前記第１側部折り返し部γ３の先端が前記第２側部折り返し部γ４の先端よりも右側に位置するように選ばれている工程
（Ｄ）前記第１側部折り返し部γ３の先端下端部を、前記第２側部折り返し部γ４の先端下端部に位置する前記下部折り返し部γ２の内側に形成されている間隙内に差し込むか、又は、前記第２側部折り返し部γ４の先端下端部を、前記第１側部折り返し部γ３の先端下端部に位置する前記下部折り返し部γ２の内側に形成されている間隙内に差し込むことによって前記第２側部折り返し部γ４と前記第１側部折り返し部γ３とを互いに係合させ、前記第１側部折り返し部γ３と、前記第２側部折り返し部γ４と、前記右縦折り線と前記左縦折り線とで挟まれた部分の前記シート状材料とで囲まれた筒状体を形成する工程、
（Ｅ）前記筒状体が形成された状態で、前記筒状体の下部を、前記筒状体の上下方向の中心よりも下側に位置し、前記下横折り線と平行な袋底部横折り線に沿って谷折り又は山折りすることによって袋本体折り返し部γ５を形成する工程、
（Ｆ）前記袋本体折り返し部γ５が形成された状態で、前記筒状体の上部を、前記袋底部横折り線から前記袋本体折り返し部γ５の上下方向長さと略等しいかそれよりも長い長さだけ上側に位置し、前記下横折り線と平行な袋上部横折り線に沿って、前記袋本体折り返し部γ５と同じ側に谷折り又は山折りすることによって袋上部折り返し部γ６を形成する工程であって、前記袋上部横折り線の位置が、形成される前記袋上部折り返し部γ６の下部先端が前記袋本体折り返し部γ５の上部先端よりも下側に位置するように選ばれている工程、
（Ｇ）前記袋上部折り返し部γ６の先端部を前記袋本体折り返し部γ５の前記筒状体内に挿入することによって前記袋本体折り返し部γ５の内部に袋状部を形成する工程。
【００１２】
前記下部折り返し部γ２は、シート状材料の下端部を、直線状の下横折り線に沿って谷折りすることによって形成されても良いし、山折りすることによって形成されても良い。同様に、第２側部折り返し部γ４及び第１側部折り返し部γ３は、シート状材料の右側部分及び左側部分をそれぞれ前記右縦折り線又は前記左縦折り線に沿って、共に谷折りすることによって形成されても良いし、共に山折りすることによって形成されても良い。
【００１３】
しかしながら、下部折り返し部γ２を第２側部折り返し部γ４及び第１側部折り返し部γ３の内側に隠して、外見上目立たないようにするとともに、人の手や出し入れする物品との無用な干渉を避け、安全性や耐久性を高めるという観点からは、下部折り返し部γ２を形成する際の谷折り又は山折りの折りの方向と、第２側部折り返し部γ４及び第１側部折り返し部γ３を形成する際の谷折り又は山折りの折りの方向とは同じになるように揃えた方が好ましい。すなわち、下部折り返し部γ２が、シート状材料の下端部を下横折り線に沿って谷折りすることによって形成される場合には、第２側部折り返し部γ４及び第１側部折り返し部γ３は、シート状材料の右側部分及び左側部分をそれぞれ右縦折り線又は左縦折り線に沿って、共に谷折りすることによって形成されるのが好ましく、逆に、下部折り返し部γ２が山折りによって形成される場合には、第２側部折り返し部γ４及び第１側部折り返し部γ３も山折りによって形成されるのが好ましい。
【００１４】
一方、強度的な面を重視するのであれば、下部折り返し部γ２を形成する際の谷折り又は山折りの折りの方向と、第２側部折り返し部γ４及び第１側部折り返し部γ３を形成する際の谷折り又は山折りの折りの方向とは反対になるようにするのが好ましい。すなわち、下部折り返し部γ２が、シート状材料の下端部を下横折り線に沿って谷折りすることによって形成される場合には、第２側部折り返し部γ４及び第１側部折り返し部γ３は、シート状材料の右側部分及び左側部分をそれぞれ右縦折り線又は左縦折り線に沿って、共に山折りすることによって形成されるのが好ましく、逆に、下部折り返し部γ２が山折りによって形成される場合には、第２側部折り返し部γ４及び第１側部折り返し部γ３は谷折りによって形成されるのが好ましい。
【００１５】
また、本発明に係る包装用袋及びその作成方法においては、第２側部折り返し部γ４と第１側部折り返し部γ３とは、第２側部折り返し部γ４と対向する部分に位置するシート状材料、若しくは第２側部折り返し部γ４及び第１側部折り返し部γ３と対向する部分に位置するシート状材料、換言すれば、右縦折り線と左縦折り線との間に挟まれた部分のシート状材料と共に、筒状体を形成している。そして、この筒状体は、第１側部折り返し部γ３の先端下端部が、第２側部折り返し部γ４の先端下端部に位置する下部折り返し部γ２の内側に形成されている間隙内に差し込まれるか、又は、その逆に、第２側部折り返し部γ４の先端下端部が、第１側部折り返し部γ３の先端下端部に位置する下部折り返し部γ２の内側に形成されている間隙内に差し込まれ、第１側部折り返し部γ３と第２側部折り返し部γ４とが互いに係合することによって形成されている。しかも、その形成された筒状体の下部が上部に向かって折り返され袋本体折り返し部γ５が形成されるとともに、筒状体の上部は下部に向かって折り返され袋上部折り返し部γ６が形成され、袋上部折り返し部γ６の先端が袋本体折り返し部γ５の上部開口内に挿入されることによって包装用袋が形成されている。したがって、本発明に係る包装用袋は、当該袋を外部に向かって押し広げようとする袋内側からの力に対して強く、袋内部に種々の物品を収納しても、包装用袋がみだりに崩れたり、乱れたりする恐れがなく、耐久性に優れるという利点を備えている。なお、このとき、第２側部折り返し部γ４及び第１側部折り返し部γ３が、下部折り返し部γ２を形成する折りの向きと反対向きに折られて形成されていると、下部折り返し部γ２の部分が最終的に作成される包装用袋の外側、すなわち袋本体折り返し部γ５の外側に現れ、袋本体折り返し部γ５の上部開口と、その中に挿入される袋上部折り返し部γ６の先端との係合が、よりしっかりとしたものとなり、包装用袋の開口部の強度が増すという利点が得られる。
【００１６】
本発明の包装用袋においては、下部折り返し部γ２の形成に先だって、シート状材料の右端部又は左端部を、下横折り線と直交する補助縦折り線に沿って谷折り又は山折りして補助折り返し部γ１が形成されても良い。その場合、下部折り返し部γ２の形成は、補助折り返し部γ１が形成された状態で、シート状材料の下端部を、下横折り線に沿って谷折り又は山折りすることによって行われることになる。補助折り返し部γ１が形成される場合には、補助折り返し部γ１が形成された側のシート状材料の端部が二重構造となり補強されるので、包装用袋の耐久性がより高まるという利点が得られる。補助折り返し部γ１の折り返し方向は、下部折り返し部γ２の折り返し方向と同じであっても良いし、反対向きであっても良い。なお、補助折り返し部γ１は、シート状材料の左右両方に設けても良い。
【００１７】
また、本発明は、上述した下横折り線、右縦折り線、左縦折り線、袋底部横折り線、及び袋上部横折り線が、四角形の内側の所定の位置に記載されている包装用袋作成用シート状材料を提供することによって、上記の課題を解決するものである。上記包装用袋作成用シート状材料には、上述した各線に加えて、補助縦折り線が四角形の内側の所定の位置に記載されていても良い。
【００１８】
本発明に係る包装用袋作成用シート状材料は、それ自体が四角形で、その内部の所定位置に必要な折り線が記載されたものであっても良い。また、任意の形状のシート状材料の内部に四角形の区画が設定されており、その四角形の区画内の所定の位置に、必要な折り線が記載されたものであっても良い。後者の場合、包装用袋の作成にあたっては、前記任意の形状のシート状材料から、前記折り線が記載された四角形部分を切り出すか、前記任意の形状のシート状材料の不要部分を折って前記折り線が記載された四角形のシート状材料とするか、或いは、四角形からはみだした部分はそのままに、所定の山折り谷折りをして包装用袋を作成すれば良い。
【００１９】
本発明において、包装用袋の作成に用いられるシート状材料は、山折り及び／又は谷折りすることができる限り、どのような素材から構成されていても良い。例えば、和紙、洋紙などの紙、または織布、不織布などの布であっても良く、さらには、合成樹脂シートであっても良く、最も身近にある紙として新聞紙や、広告用のチラシ、各種包装紙などを用いても良く、予め必要な折り線が表示されたシート状材料がある場合にはそれを使用しても良い。
【００２０】
また、作成される包装用袋の耐久性を高めたり、汚れの付着を防止するために、シート状材料の一部又は全部に、薄い樹脂フィルムで覆うラミネート加工を施しても良い。また、出来上がった状態を勘案しながら、シート状材料の適宜の位置に、プリント、貼着、縫い付け、刺繍、熱圧着などの適宜の方法で、文字、絵、キャラクター、模様、図形、記号、色彩、写真などを貼り付けて、装飾を施しても良い。
【００２１】
さらには、山折り、谷折り、或いは挿入されるシート状材料の適宜の箇所を糊等の接着剤またはホッチキスを用いて固定して、包装用袋の強度を高めて、形状の崩れを防止するようにしてもよい。
【発明の効果】
【００２２】
本発明の包装用袋並びにその作成方法によれば、誰もが容易に入手することのできる紙や布などのシート状材料を用いて、安全性および耐久性に優れた包装用袋を、接着剤等を用いることなく、折り紙の手法によって、誰もが容易に作成することができるという利点が得られる。また、作成された包装用袋は、不要になれば、容易に解体、廃棄することができる。
【００２３】
また、本発明の包装用袋作成用シート状材料によれば、シート状材料の所定位置に、必要な折り線があらかじめ記載されているので、それらの指示に従って、シート状材料を折っていくだけで、包装用袋を容易に作成することができるという利点が得られる。
【図面の簡単な説明】
【００２４】
【図１】本発明に係る包装用袋の一例の展開図である。
【図２】本発明に係る包装用袋の作成に用いるシート状材料の一例を示す平面図である。
【図３】本発明に係る包装用袋の作成に用いるシート状材料の一例を示す底面図である。
【図４】包装用袋の作成手順を示す図である。
【図５】包装用袋の作成手順を示す図である。
【図６】包装用袋の作成手順を示す図である。
【図７】包装用袋の作成手順を示す図である。
【図８】包装用袋の作成手順を示す図である。
【図９】図８の部分拡大図である。
【図１０】包装用袋の作成手順の他の一例を示す図である。
【図１１】包装用袋の作成手順を示す図である。
【図１２】図１１の部分拡大図である。
【図１３】包装用袋の作成手順の他の一例を示す図である。
【図１４】包装用袋の作成手順を示す図である。
【図１５】包装用袋の作成手順を示す図である。
【図１６】包装用袋の作成手順を示す図である。
【図１７】包装用袋の作成手順を示す図である。
【図１８】包装用袋の作成手順を示す図である。
【図１９】包装用袋の作成手順を示す図である。
【図２０】本発明に係る包装用袋の使用例を示す図である。
【発明を実施するための形態】
【００２５】
以下、図面を用いて本発明を詳細に説明するが、本発明が図示のものに限られないことは勿論である。
【００２６】
図１は、本発明に係る包装用袋の一例の展開図である。図１において、１はシート状材料であり、Ｔはシート状材料１の上辺、Ｂは下辺、Ｒは右辺、Ｌは左辺を示している。本例では、シート状材料１は長方形状であり、上辺Ｔと下辺Ｂとは長さが等しく互いに平行で、右辺Ｒと左辺Ｌとは長さが等しく互いに平行で、上辺Ｔ及び下辺Ｂと、右辺Ｒ及び左辺Ｌとは互いに直交している。また、上辺Ｔ及び下辺Ｂの長さは右辺Ｒ及び左辺Ｌの長さよりも長い。しかしながら、シート状材料１の平面形状は必ずしも横長の長方形に限られる訳ではなく、縦長の長方形であっても良く、正方形であっても良い。また、上辺Ｔ、下辺Ｂ、右辺Ｒ、及び左辺Ｌの長さの絶対値にも特段の制限はなく、作成する包装用袋の大きさや形状に合わせて適宜変更することができる。
【００２７】
また、シート状材料１は、上辺Ｔ、下辺Ｂ、右辺Ｒ、及び左辺Ｌで囲まれる四角形の外側にはみ出す部分を有していても良い。この場合、包装用袋を作成するにあたり、はみ出した部分は、上辺Ｔ、下辺Ｂ、右辺Ｒ、または左辺Ｌに沿って切断するか、又は上辺Ｔ、下辺Ｂ、右辺Ｒ、または左辺Ｌに沿って折り返してシート状材料１の外形を四角形状にすれば良い。或いは、はみ出した部分はそのままの状態で、後述する各種の折りを実行して、本発明に係る包装用袋を作成しても良い。
【００２８】
図１において、シート状材料１上に破線で示された線は折り跡であり、図中２で示される破線は後述する補助縦折り線２ｖに沿ってシート状材料１を折った際に形成される折り跡、３及び４で示される破線は後述する右縦折り線３ｖ及び左縦折り線４ｖに沿ってシート状材料１を折った際に形成される折り跡である。同様に、５、６、７で示される破線は、後述する下横折り線５ｈ、袋底部横折り線６ｈ、及び袋上部横折り線７ｈに沿ってシート状材料１を折った際に形成される折り跡である。
【００２９】
本例においては、折り跡２、３、４は互いに平行で、かつ、シート状材料１の上辺Ｔ及び下辺Ｂとも平行である。また、折り跡５、６、７は互いに平行で、かつ、シート状材料１の右辺Ｒ及び左辺Ｌとも平行である。これは、折り跡に対応する補助縦折り線２ｖ、右縦折り線３ｖ、及び左縦折り線４ｖが互いに平行で、かつ右辺Ｒ及び左辺Ｌとも平行であり、下横折り線５ｈ、袋底部横折り線６ｈ、及び袋上部横折り線７ｈが互いに平行で、かつ上辺Ｔ及び下辺Ｂとも平行であることを意味している。
【００３０】
図１中、Ｄ１〜Ｄ８は、それぞれの部分の長さを表している。すなわち、Ｄ１は上辺Ｔから折り跡７までの長さ（すなわち、上辺Ｔから袋上部横折り線７ｈまでの長さ）、Ｄ２は折り跡７から折り跡６までの長さ（すなわち、袋上部横折り線７ｈから袋底部横折り線６ｈまでの長さ）、Ｄ３は折り跡６から折り跡５までの長さ（すなわち、袋底部横折り線６ｈから下横折り線５ｈまでの長さ）、Ｄ４は折り跡５から下辺Ｂまでの長さ（すなわち、下横折り線５ｈから下辺Ｂまでの長さ）を表している。
【００３１】
同様に、Ｄ５は左辺Ｌから折り跡４までの長さ（すなわち、左辺Ｌから左縦折り線４ｖまでの長さ）、Ｄ６は折り跡４から折り跡３までの長さ（すなわち、左縦折り線４ｖから右縦折り線３ｖまでの長さ）、Ｄ７は折り跡３から折り跡２までの長さ（すなわち、右縦折り線３ｖから補助縦折り線２ｖまでの長さ）、Ｄ８は折り跡２から右辺Ｒまでの長さ（すなわち、補助縦折り線２ｖから右辺Ｒまでの長さ）を表している。
【００３２】
Ｄ１〜Ｄ８の長さに関しては、シート状材料１から本発明に係る包装用袋を作成することができるかぎり特段の制限はないが、Ｄ６はＤ７と等しいか、Ｄ７よりも若干長く略等しいのが好ましく、Ｄ２はＤ３と等しいか、Ｄ３よりも若干長く略等しいのが好ましい。また、Ｄ１及びＤ４はＤ３よりも短く、Ｄ５及びＤ８はＤ７よりも短いのが好ましい。
【００３３】
図２は、本発明に係る包装用袋作成用シート状材料の平面図であり、シート状材料の表側に相当する。図２中、１はシート状材料であり、２ｖは補助縦折り線、３ｖは右縦折り線、４ｖは左縦折り線、５ｈは下横折り線をそれぞれ表している。先に図１を用いて説明したとおり、右辺Ｒから補助縦折り線２ｖまでの長さ（すなわち、距離）がＤ８、補助縦折り線２ｖから右縦折り線３ｖまでの長さ（距離）がＤ７、右縦折り線３ｖから左縦折り線４ｖまでの長さ（距離）がＤ６、左縦折り線４ｖから左辺Ｌまでの長さ（距離）がＤ５である。また、下横折り線５ｈから下辺Ｂまでの長さ（距離）がＤ４である。他の折り線はシート状材料１の平面図には現れてこない。
【００３４】
図３は、図２に示したシート状材料１の底面図であり、シート状材料１の裏側に相当し、図２とは上下方向が逆になっている。図３において、３ｖは右縦折り線、４ｖは左縦折り線、５ｈは下横折り線、６ｈは袋底部縦折り線、７ｈは袋上部縦折り線である。先に図１を用いて説明したとおり、上辺Ｔから袋上部縦折り線７ｈまでの長さ（すなわち、距離）がＤ１、袋上部縦折り線７ｈから袋底部縦折り線６ｈまでの長さ（距離）がＤ２、袋底部縦折り線６ｈから下横折り線５ｈまでの長さ（距離）がＤ３である。
【００３５】
なお、本明細書において、上下、左右とは、便宜上、シート状材料１を図２に示す向きにおいたときの上下、左右をいうものとする。また、シート状材料１を図２に示す向きにおいたときに見える側を表側、シート状材料１を図３に示す向きにおいたときに見える側を裏側というものとする。
【００３６】
次に、図２及び図３に示した包装用袋作成用シート状材料１を用いて、本発明に係る包装用袋を作成する工程を図４〜図１９に基づいて説明する。
【００３７】
図４は、図２に示すシート状材料１の右辺Ｒ側の端部、すなわち右端部が、補助縦折り線２ｖに沿って谷折りされ、補助折り返し部γ１が形成される工程を示している。すなわち、シート状材料１の右辺Ｒ側の端部が、図中矢印で示すとおり、補助縦折り線２ｖ沿って谷折りされ、補助折り返し部γ１が形成される。この工程が、本発明に係る包装用袋の作成方法でいうところの工程（Ｈ）に相当する。なお、この工程は必須ではなく、無くても良いが、補助折り返し部γ１を形成することによって、シート状材料１の右辺Ｒ側の端部が補強され、強化されるので、工程（Ｈ）を設けるのが望ましい。
【００３８】
また、本例においては、シート状材料１の右辺Ｒ側の端部が補助縦折り線２ｖに沿って谷折りされて補助折り返し部γ１が形成されているが、シート状材料１の右辺Ｒ側の端部を補助縦折り線２ｖに沿って山折りして補助折り返し部γ１を形成しても良い。
【００３９】
図５は、上記工程（Ｈ）を経て、シート状材料１の右辺Ｒ側に、補助折り返し部γ１が形成された状態を示している。補助折り返し部γ１の部分には、図３に示したシート状材料１の裏側が現れ、裏側に表示されていた下横折り線５ｈが、表側に表示されている下横折り線５ｈと連続し、一本の下横折り線５ｈが形成されている。なお、下横折り線５ｈと補助縦折り線２ｖとは互いに直交している。
【００４０】
図６は、次に、シート状材料１の下端部、すなわち、下辺Ｂ側の端部が、補助折り返し部γ１を含めて、図中矢印で示すとおり、下横折り線５ｈに沿って谷折りされ、これにより、下部折り返し部γ２が形成される工程を示している。この工程が、本発明に係る包装用袋の作成方法でいうところの工程（Ａ）に相当する。なお、本例においては、シート状材料１の下端部を下横折り線５ｈに沿って谷折りすることによって下部折り返し部γ２が形成されているが、シート状材料１の下端部を下横折り線５ｈに沿って山折りして下部折り返し部γ２を形成しても良い。
【００４１】
図７は、シート状材料１の下端部が、折り返し部γ１を含めて、下横折り線５ｈに沿って谷折りされた結果、シート状材料１の下辺に、下部折り返し部γ２が形成された状態を示している。下部折り返し部γ２の部分には、シート状材料１の裏側が現れ、裏側に表示されていた右縦折り線３ｖ及び左縦折り線４ｖが、表側に表示されている右縦折り線３ｖ及び左縦折り線４ｖと連続し、それぞれ一本の右縦折り線３ｖ及び左縦折り線４ｖが形成されている。右縦折り線３ｖ及び左縦折り線４ｖは下横折り線５ｈと直交している。
【００４２】
図７において、Ｃｖ−Ｃｖは、下部折り返し部γ２が形成された状態でのシート状材料１の左右方向の中心を通る中心線であり、この中心線Ｃｖ−Ｃｖを挟んで、シート状材料１の左右両端までの距離（図７における中心線Ｃｖ−Ｃｖから左辺Ｌまでの距離と、中心線Ｃｖ−Ｃｖから補助縦折り線２ｖまでの距離）はいずれもＷｈであり、等しくなっている。一方、距離Ｄ７、すなわち、下部折り返し部γ２が形成された状態でのシート状材料１の右端に相当する補助縦折り線２ｖから右縦折り線３ｖまでの距離Ｄ７は、図７から明らかなとおり、Ｗｈよりも短く、Ｄ７＜Ｗｈの関係にあり、右縦折り線３ｖは、下部折り返し部γ２が形成された状態でのシート状材料１の左右方向の中心（中心線Ｃｖ−Ｃｖ）よりも右側に位置している。そして、後述するとおり、シート状材料１の右側部分が右縦折り線３ｖに沿って谷折り又は山折りされることによって、第２側部折り返し部γ４が形成されるから、距離Ｄ７が第２側部折り返し部γ４の左右方向の長さに相当することになる。
【００４３】
一方、左縦折り線４ｖは、右縦折り線３ｖから左縦折り線４ｖまでの距離Ｄ６だけ、右縦折り線３ｖよりも左側に位置している。距離Ｄ６は、通常、第２側部折り返し部γ４の左右方向の長さに相当する距離Ｄ７と等しく設定されるが、必ずしも完全に等しく設定される必要はなく、略等しく設定されておれば良い。また、距離Ｄ６は距離Ｄ７よりも長く設定しても良い。いずれにせよ、距離Ｄ６から距離Ｄ５（左縦折り線４ｖからシート状材料１の左辺Ｌまでの長さ）を減算した長さが距離Ｄ７よりも短くなるように、すなわち、距離Ｄ６−距離Ｄ５＜距離Ｄ７となるように、距離Ｄ６は設定される。距離Ｄ６−距離Ｄ５＜距離Ｄ７となるように左縦折り線４ｖの位置が設定される場合には、後述するように、右縦折り線３ｖに沿ってシート状材料１の右側部分を山折り又は谷折りして第２側部折り返し部γ４を形成し、さらに左縦折り線４ｖに沿ってシート状材料１の左側部分を山折り又は谷折りして第１側部折り返し部γ３を形成したとき、第１側部折り返し部γ３の先端が、第２側部折り返し部γ４の先端よりも右側に位置するので、第１側部折り返し部γ３と第２側部折り返し部γ４とを係合させて筒状体を形成することができるという利点が得られる。
【００４４】
図８は、次に、下部折り返し部γ２が形成された状態で、シート状材料１の右側部分が、補助折り返し部γ１及び下部折り返し部γ２を含めて、図中矢印で示すとおり、右縦折り線３ｖに沿って谷折りされ、これにより、第２側部折り返し部γ４が形成される工程を示している。この工程が、本発明に係る包装用袋の作成方法でいうところの工程（Ｂ）に相当する。第２側部折り返し部γ４が形成された結果、シート状材料１の裏側に記載されていた袋底部横折り線６ｈ及び袋上部横折り線７ｈが、見える部分に現れることになる。
【００４５】
図８において、α４は、第２側部折り返し部γ４の先端下端部β４において、下部折り返し部γ２の内側に形成されている間隙である。本例においては、下部折り返し部γ２に先だって補助折り返し部γ１が形成され、補助折り返し部γ１の一部が下部折り返し部γ２とともに折り返されているので、下部折り返し部γ２の内側には、下部折り返し部γ２とともに折り返された補助折り返し部γ１が存在し、この補助折り返し部γ１が、第２側部折り返し部γ４とともに折り返された補助折り返し部γ１と対向し、間隙α４を形成している。なお、補助折り返し部γ１が形成されない場合には、下部折り返し部γ２が、第２側部折り返し部γ４と直接対向し、下部折り返し部γ２の内側に間隙α４を形成することになる。図８の部分拡大図を図９として示す。
【００４６】
なお、本例においては、シート状材料１の右側部分を右縦折り線３ｖに沿って谷折りすることによって第２側部折り返し部γ４が形成されているが、図１０に示すように、シート状材料１の右側部分を右縦折り線３ｖに沿って山折りして第２側部折り返し部γ４を形成しても良い。この場合にも、第２側部折り返し部γ４の先端下端部β４において、下部折り返し部γ２の内側に間隙α４が形成される。同様に、本例においては、下部折り返し部γ２に先だって補助折り返し部γ１が形成され、補助折り返し部γ１の一部が下部折り返し部γ２とともに折り返されているので、下部折り返し部γ２の内側には、下部折り返し部γ２とともに折り返された補助折り返し部γ１が存在し、この補助折り返し部γ１が、第２側部折り返し部γ４とともに折り返された補助折り返し部γ１と対向し、間隙α４を形成している。
【００４７】
因みに、補助折り返し部γ１や下部折り返し部γ２が作成される包装用袋の内側又は外側に直接現れないようにして、包装用袋の外観や取扱い性を良好なものにするという観点からは、第２側部折り返し部γ４を形成する折り返しの方向は、補助折り返し部γ１や下部折り返し部γ２の折り返しの方向と揃えるのが好ましい。すなわち、補助折り返し部γ１や下部折り返し部γ２が谷折りによって形成されている場合には、第２側部折り返し部γ４は、シート状材料１の右側部分を右縦折り線３ｖに沿って谷折りすることによって形成されるのが好ましく、逆に、補助折り返し部γ１や下部折り返し部γ２が山折りによって形成されている場合には、第２側部折り返し部γ４は、シート状材料１の右側部分を右縦折り線３ｖに沿って山折りすることによって形成されるのが好ましい。
【００４８】
一方、作成される包装用袋の開口部を形成する部分の係合力を高め、包装用袋の開口部強度を高めるという観点からは、第２側部折り返し部γ４を形成する折り返しの方向は、補助折り返し部γ１や下部折り返し部γ２の折り返しの方向と揃えるのが好ましい。すなわち、補助折り返し部γ１や下部折り返し部γ２が谷折りによって形成されている場合には、第２側部折り返し部γ４は、シート状材料１の右側部分を右縦折り線３ｖに沿って山折りすることによって形成されるのが好ましく、逆に、補助折り返し部γ１や下部折り返し部γ２が山折りによって形成されている場合には、第２側部折り返し部γ４は、シート状材料１の右側部分を右縦折り線３ｖに沿って谷折りすることによって形成されるのが好ましい。
【００４９】
このようにして第２側部折り返し部γ４が形成されると、シート状材料１の距離Ｄ６に相当する部分が、第２側部折り返し部γ４と対向する部分となる。
【００５０】
図１１は、次に、図８に示された下部折り返し部γ２が形成された状態で、シート状材料１の左側部分が、下部折り返し部γ２を含めて、図中矢印で示すとおり、左縦折り線４ｖに沿って谷折りされ、これにより、第１側部折り返し部γ３が形成される工程を示している。この工程が、本発明に係る包装用袋の作成方法でいうところの工程（Ｃ）に相当する。
【００５１】
図１１において、α３は、第１側部折り返し部γ３の先端下端部β３において、下部折り返し部γ２の内側に形成されている間隙である。本例において、シート状材料１の左端には補助折り返し部γ１が形成されていないので、下部折り返し部γ２が、第１側部折り返し部γ３と直接対向し、下部折り返し部γ２の内側に間隙α３を形成している。図１１の部分拡大図を図１２として示す。
【００５２】
なお、本例においては、シート状材料１の左側部分を左縦折り線４ｖに沿って谷折りすることによって第１側部折り返し部γ３が形成されているが、第２折り返し部γ４が図１０に示すように、右縦折り線３ｖに沿って山折りして形成されている場合には、図１３に示すように、シート状材料１の左側部分を左縦折り線４ｖに沿って山折りすることによって第１側部折り返し部γ３を形成するのが良い。この場合にも、図１３に示すとおり、第１側部折り返し部γ３の先端下端部β３には、下部折り返し部γ２の内側に間隙α３が形成される。本例において、シート状材料１の左端には補助折り返し部γ１が形成されていないので、第１側部折り返し部γ３とともに折り返された下部折り返し部γ２が、第１側部折り返し部γ３と直接対向し、下部折り返し部γ２の内側に間隙α３を形成することになる。
【００５３】
第１側部折り返し部γ３の形成と第２側部折り返し部γ４の形成とは、どちらを先に行っても良い。
【００５４】
図１４は、第１側部折り返し部γ３の先端下端部β３を、第２側部折り返し部γ４の先端下端部β４に形成されている間隙α４の間に差し込んで、第１側部折り返し部γ３と第２側部折り返し部γ４とを係合させる工程を示している。これにより、第１側部折り返し部γ３と、第２側部折り返し部γ４と、第２側部折り返し部γ４と対向する部分のシート状材料１とで囲まれた筒状体が形成される。なお、この場合、第２側部折り返し部γ４と対向する部分のシート状材料１とは、右縦折り線３ｖと左縦折り線４ｖとで挟まれた部分のシート状材料１ということになる。筒状体の内部には、図１４に白矢印で示すとおり、上部から下部まで連続した空間が形成されている。
【００５５】
なお、図１４は、距離Ｄ６が距離Ｄ７と略等しくなるように左縦折り線４ｖの位置を設定し、筒状体を形成した状態を示しているが、距離Ｄ６＞距離Ｄ７となる位置に左縦折り線４ｖを設定し、その左縦折り線４ｖに沿ってシート状材料の左側部分を山折り又は谷折りして第１側部折り返し部γ３を形成した場合には、第１側部折り返し部γ３と第２側部折り返し部γ４とを係合させて形成される筒状体は、第１側部折り返し部γ３と、第２側部折り返し部γ４と、第２側部折り返し部γ４及び第１側部折り返し部γ３と対向する部分のシート状材料１とで囲まれた筒状体が形成されることになる。ただし、この場合であっても、第２側部折り返し部γ４及び第１側部折り返し部γ３と対向する部分のシート状材料１とは、右縦折り線３ｖと左縦折り線４ｖとで挟まれた部分のシート状材料１ということになる。
【００５６】
図１５は、第１側部折り返し部γ３の先端下端部β３を、第２側部折り返し部γ４の間隙α４に差し込む代わりに、第２側部折り返し部γ４の先端下端部β４を、第１側部折り返し部γ３の先端下端部β３に形成されている間隙α３に差し込んで、第１側部折り返し部γ３と第２側部折り返し部γ４とを係合させる工程を示している。このように、第１側部折り返し部γ３の先端下端部β３を第２側部折り返し部γ４の間隙α４に差し込む代わりに、第２側部折り返し部γ４の先端下端部β４を第１側部折り返し部γ３の間隙α３に差し込んでも良く、これによっても、第１側部折り返し部γ３と、第２側部折り返し部γ４と、第２側部折り返し部γ４と対向する部分のシート状材料１とで囲まれた筒状体を形成することができる。筒状体の内部には、図１４に白矢印で示したのと同様に、上部から下部まで連続した空間が形成されている。
【００５７】
なお、図１０及び図１３に示した場合、すなわち、第２側部折り返し部γ４と第１側部折り返し部γ３とが、それぞれシート状材料１の右側部分又は左側部分を右縦折り線３ｖ又は左縦折り線４ｖに沿って山折りすることによって形成されている場合にも同様であり、第１側部折り返し部γ３の先端下端部β３を、第２側部折り返し部γ４の間隙α４に差し込むか、或いは、第２側部折り返し部γ４の先端下端部β４を、第１側部折り返し部γ３の先端下端部β３に形成されている間隙α３に差し込んで、第１側部折り返し部γ３と第２側部折り返し部γ４とを係合させることによって、上部から下部まで連続した空間を内部に包含する筒状体を形成することができる。
【００５８】
以上、図１４及び図１５を用いて説明した工程が、本発明に係る包装用袋の作成方法でいうところの工程（Ｄ）に相当する。
【００５９】
図１６は、上記のようにして形成された筒状体の外観を表す図である。図１６において、Ｃｈ−Ｃｈは、第１側部折り返し部γ３と第２側部折り返し部γ４とが係合し、筒状体が形成された状態でのシート状材料１の上下方向の中心を通る中心線であり、この中心線Ｃｈ−Ｃｈを挟んで、シート状材料１の上下端までの距離（図１６における中心線Ｃｈ−Ｃｈから上辺Ｔまでの距離と、中心線Ｃｈ−Ｃｈから下横折り線５ｈまでの距離）はいずれもＷｖであり、等しくなっている。一方、距離Ｄ３、すなわち、下横折り線５ｈから袋底部横折り線６ｈまでの距離Ｄ３は、図１６から明らかなとおり、Ｗｖよりも短く、Ｄ３＜Ｗｖの関係にあり、袋底部横折り線６ｈは、筒状体が形成された状態でのシート状材料１の上下方向の中心（中心線Ｃｈ−Ｃｈ）よりも下側に位置している。そして、後述するとおり、シート状材料１の下側部分が袋底部横折り線６ｈに沿って谷折り又は山折りされることによって、袋本体折り返し部γ５が形成されるから、距離Ｄ３が袋本体折り返し部γ５の上下方向の長さに相当することになる。
【００６０】
一方、袋上部横折り線７ｈは、袋底部横折り線６ｈから袋上部横折り線７ｈまでの距離Ｄ２だけ、袋底部横折り線６ｈよりも上側に位置している。距離Ｄ２は、通常、袋本体折り返し部γ５の上下方向の長さに相当する距離Ｄ３と等しく設定されるが、必ずしも完全に等しく設定される必要はなく、略等しくあれば良い。また、距離Ｄ２は距離Ｄ３よりも長く設定しても良い。いずれにせよ、距離Ｄ２から距離Ｄ１（袋上部横折り線７ｈからシート状材料１の上辺Ｔまでの長さ）を減算した長さが距離Ｄ３よりも短くなるように、すなわち、距離Ｄ２−距離Ｄ１＜距離Ｄ３となるように、距離Ｄ２は設定される。距離Ｄ２−距離Ｄ１＜距離Ｄ３となるように袋上部横折り線７ｈの位置が設定される場合には、後述するように、袋底部横折り線６ｈに沿って筒状体の下側部分を山折り又は谷折りして袋本体折り返し部γ５を形成し、さらに袋上部横折り線７ｈに沿って筒状体の上部を山折り又は谷折りして袋上部折り返し部γ６を形成したとき、袋上部折り返し部γ６の下部先端が、袋本体折り返し部γ５の上部先端よりも下側に位置するので、袋上部折り返し部γ６を袋本体折り返し部γ５の上端に開口する内部空間内に挿入し、袋本体折り返し部γ５の内部に袋状部を形成することができるという利点が得られる。つまり、袋上部横折り線７ｈの位置は、袋上部折り返し部γ６の下部先端が袋本体折り返し部γ５の上部先端よりも下側に位置するように選ばれているということになる。
【００６１】
図１７は、前記筒状体が形成された状態で、前記筒状体の下側部分が、図中矢印で示すとおり、袋底部横折り線６ｈに沿って谷折りされ、袋本体折り返し部γ５が形成される工程を示している。なお、袋底部横折り線６ｈは下横折り線５ｈと平行である。この工程が、本発明に係る包装用袋の作成方法でいうところの工程（Ｅ）に相当する。
【００６２】
図１８は、上記のようにして袋本体折り返し部γ５が形成された状態で、前記筒状体の上部を、袋底部横折り線６ｈから袋本体折り返し部γ５の上下方向の長さＤ３に相当する長さだけ上側に位置する袋上部横折り線７ｈに沿って谷折りし、袋上部折り返し部γ６を形成する工程を示している。この工程が、本発明に係る包装用袋の作成方法でいうところの工程（Ｆ）に相当する。図１８において、符号Ｓで示すハッチングを付した箇所は、袋本体折り返し部γ５の上端に開口する前記筒状体の内部空間である。
【００６３】
なお、図１７及び図１８に示す例では、袋本体折り返し部γ５及び袋上部折り返し部γ６は、いずれも、袋底部横折り線６ｈ及び袋上部横折り線７ｈに沿ってそれぞれ谷折りすることによって形成されているが、袋底部横折り線６ｈ及び袋上部横折り線７ｈに沿ってそれぞれ山折りすることによって形成されても良い。ただし、袋上部折り返し部γ６を袋本体折り返し部γ５の上端に開口する内部空間Ｓ内に挿入する必要上、両者の折り返し方向は同じであることが必要で、袋本体折り返し部γ５が谷折りで形成される場合には、袋上部折り返し部γ６も谷折りで、袋本体折り返し部γ５が山折りで形成される場合には、袋上部折り返し部γ６も山折りで形成される。
【００６４】
図１９は、袋上部折り返し部γ６が、袋本体折り返し部γ５の上端に開口する内部空間Ｓ内に挿入され、袋本体折り返し部γ５の内部に袋状部８が形成され、結果として、本発明に係る包装用袋９が形成される工程を示している。この工程が、本発明に係る包装用袋の作成方法でいうところの工程（Ｇ）に相当する。
【００６５】
図２０は、本発明に係る包装用袋９の一使用例を示している。図２０に見られるとおり、本発明に係る包装用袋９は、その袋状部８内に適宜の商品等を入れ、持ち帰り時などの運搬又は保管などに適宜使用することができる。また、使用が終了したときには、作成時と逆の手順で解体すれば、容易に元のシート状材料に戻すことができるので、嵩張ることなく、シート状材料としての保管や廃棄などに要する手間暇も極めて小さい。
【産業上の利用可能性】
【００６６】
包装用袋は、日常生活のありとあらゆる局面で使用されているが、包装用袋に通常用いられている合成樹脂素材については、資源枯渇や環境問題が懸念されている。これに対し、本発明の包装用袋、包装用袋作成用シート状材料並びにその作成方法によれば、誰もが容易に入手することのできる紙や布などのシート状材料を用いて、安全性および耐久性に優れた包装用袋を誰もが容易に作成することができ、資源枯渇や環境負荷を懸念する必要がない。本発明は、優れた産業上の利用可能性を有している。
【符号の説明】
【００６７】
１          シート状材料
２、３、４、５、６、７    折り跡
２ｖ        補助縦折り線
３ｖ        左縦折り線
４ｖ        右縦折り線
５ｈ        下横折り線
６ｈ        袋底部横折り線
７ｈ        袋上部横折り線
８          袋状部
９          包装用袋
Ｔ        シート状材料上辺
Ｂ        シート状材料下辺
Ｒ        シート状材料右辺
Ｌ        シート状材料左辺
α３、α４    間隙
β３、β４    先端下端部
γ１        補助折り返し部
γ２        下部折り返し部
γ３        第１側部折り返し部
γ４        第２側部折り返し部
γ５        袋本体折り返し部
γ６        袋上部折り返し部
【図１】
2020200110.tif 000003
【図２】
2020200110.tif 000004
【図３】
2020200110.tif 000005
【図４】
2020200110.tif 000006
【図５】
2020200110.tif 000007
【図６】
2020200110.tif 000008
【図７】
2020200110.tif 000009
【図８】
2020200110.tif 000010
【図９】
2020200110.tif 000011
【図１０】
2020200110.tif 000012
【図１１】
2020200110.tif 000013
【図１２】
2020200110.tif 000014
【図１３】
2020200110.tif 000015
【図１４】
2020200110.tif 000016
【図１５】
2020200110.tif 000017
【図１６】
2020200110.tif 000018
【図１７】
2020200110.tif 000019
【図１８】
2020200110.tif 000020
【図１９】
2020200110.tif 000021
【図２０】
2020200110.tif 000022